(57)【要約】【課題】解決しようとする問題点は、建物内部と外気との間における熱の伝導を低く抑え、建物内部の冷房又は暖房効果を維持できるようにすること、並びに建物の外観を建物の使用目的に応じて整えられるようにすることにある。【解決手段】金属製の角筒であるフレーム２を上下及び左右に配して連結して固着し、正面形状が四角形である枠体を形成し、該枠体の表面を遮蔽材４で被覆するとともに、該遮蔽材４の端部をフレーム２へ遮蔽材固定具５により止着して遮蔽体１を形成し、該遮蔽体１を単数又は上下方向若しくは左右方向に複数建物に固着したことを特徴とする建物外気遮蔽装置を提案するものである。【選択図】図１
2009235678.tif 000002
【特許請求の範囲】
【請求項１】
金属製の角筒であるフレーム２を４箇、上下及び左右に配して連結して固着し、正面形状が四角形状である枠体を形成し、該枠体の表面を遮蔽材４で被覆するとともに、該遮蔽材４の端部をフレーム２へ遮蔽材固定具５により止着して遮蔽体１を形成し、該遮蔽体１を単数又は上下方向若しくは左右方向に複数建物に固着したことを特徴とする建物外気遮蔽装置。
【発明の詳細な説明】
【技術分野】
【０００１】
本発明は、建物の外気遮蔽装置の改良に関するものである。
【背景技術】
【０００２】
最近において生活・自然環境の悪化が懸念され、地球の温暖化防止を初めとしてその対策の実施が強く望まれている。しかし、有効な対策を講ずるためには、肌理の細かい配慮が必要であり、身近の問題を丹念に解決してゆくことが、その対策のいとぐちとなると考えられる。例えば、都市における夏期のヒートアイランド現象に係る日常生活上の苦痛を回避する対策として、冷房装置を濫用することは、炭酸ガスの発生を助長し、また、さらなる熱の放出をきたし、これを回避するエネルギー源を求めてより地球環境を悪化させるという悪しき循環を生じさせかねない。これに対して、例えば人が着衣を工夫するように、建物に外気の影響を遮断する遮蔽装置を設け、その影響を小さくすれば、冷房に要するエネルギーの消費を低く抑えることができ、前記悪しき循環を回避できる。同様に該遮蔽装置を設けることは、冬期にあっては室内における熱が放散されず、暖房効果を維持するためのエネルギーの消費を低く抑えることができる。
【０００３】
しかし、建物に対する外気遮蔽装置を施す場合、例えば気候の快適な時期には外気遮断を継続するか否か選択できるようにしたり、或いは既存の建物に対しても該外気遮蔽装置を活用できるよう、その設置及び除去などの取扱いが容易であるように複数の部材から構成し、かつ、軽量であることが望まれる。また、該外気遮蔽装置は建物の外観をも構成することになるので、建物に美観を付加することが可能であり、或いは建物の使用目的に沿う表示を遮蔽部材に施すことも可能となるよう考慮する必要がある。従って、該外気遮断装置は、前記複数の部材を容易に置換できるよう構成することが好ましい。しかし、従来はこれらの目的に適切な手段に係る提案はされていない。
【非特許文献１】日本建築家協会編「環境建築ガイドブック」  建築ジャーナル  ２００７年
【発明の開示】
【発明が解決しようとする課題】
【０００４】
解決しようとする問題点は、建物内部と外気との間における熱の伝導を低く抑え、建物内部の冷房又は暖房効果を維持できるようにすることにある。
【課題を解決するための手段】
【０００５】
本発明に係る外気遮蔽装置は、軽量かつ取扱いを容易にするため、単位となる遮蔽体を必要に応じて連結可能に構成し、単位遮蔽体の表面を例えば光を或る程度透過する網目状のテント用布地を遮蔽材として用い被覆し、或いはガラス若しくは合成樹脂をこれに代えて用い、該単位遮蔽体を必要数連結して対象建物の外面を被覆できるようにするものである。
【発明の効果】
【０００６】
本発明の外気遮蔽装置は、単位となる遮蔽体に分割したので、部分的着脱が容易となり、建物全体を被覆することも、或いは部分的に被覆することも、更には被覆部分を変更することも、また必要に応じて遮蔽材の材質を前記のように適宜選択することのいずれの手段をも可能にし、保守及び修繕も極めて容易である。例えば、夏季には被覆に用いる遮蔽材によって日射を低減させ、室内温度上昇を防ぎ、冬季には遮蔽材の光の透過率を変えることにより日射の効果を受容するなど、適宜に選択することを可能にするし、また外気遮蔽装置の断熱効果により、建物内部と外気遮蔽装置との間の温度差を減少させ、例えば窓及びその周囲に発生する結露や黴を抑止し、いわゆるシックハウス化を防止できる。更に、外気遮蔽装置と建物との間に間隙があるので、雨水処理に格別の手段を要しないし、該間隙により空気層に密閉されず、対流・代謝効果を適宜利用することができる。遮蔽材固定具として、該遮蔽材固定具に伸縮可能な尾部を形成すれば、夏季と冬季の温度差による遮蔽材の伸縮に影響されず、常時その緊張度を維持できる。
【発明を実施するための最良の形態】
【０００７】
建物は、その腐朽に到るまで長期間の使用に耐えるものであり、その間に使用目的が変更されたり、所有者或いは使用者が交代したりして、建物の外観をその使用目的に相応しいものに整えたり、表示を差し替えたりする必要が生ずることがある。このような場合、本発明に係る外気遮蔽装置を用いることにより、容易にその必要目的を実現することができる。特に、前記単位遮蔽体を活用すれば、建物の外観を変化に富んだものにでき、特色ある外観を容易に作出できる。
【実施例１】
【０００８】
図１は、本発明に係る外気遮蔽装置を構成する遮蔽体１の概略を示す一部切欠き正面図、図２は図１のＡ―Ａ´線における断面の一例を示す説明図、図３及び図４は遮蔽体１を建物に固着する場合の取付手段の模型説明図である。遮蔽体１は、まず図１及び図２に示すように、軽量でかつ強度を維持できる金属、例えばアルミニウムなどを用いて形成した角筒であるフレーム２を４箇、上下及び左右に配し連結して固着し、正面形状が四角形状である枠体を形成し、その前面に遮蔽材４を被覆して形成するが、前記枠体の形状は遮蔽対象となる建物の形状により、長方形（例えば正方形）、平行四辺形など適宜選択される。この場合、枠体の強度を維持するため、図１に図示する適宜の形状のフレーム連結具３により補強することが好ましい。フレーム２は前記のとおり、断面形状を図２、図３及び図４に示すように、角筒に形成してある。次に、前記遮蔽材４は、既に詳述したとおり、被遮蔽対象の建物の用途、遮蔽時期、遮蔽期間の長短などにより、布のように柔軟な材質のもの（例えば、着色が容易である。）、ガラスや合成樹脂で固形のものなどを適宜選択できる。遮蔽材４の被覆・固定には遮蔽材固定具５を用いるが、前記遮蔽材４の材質により、例えば柔軟な材質のものの場合、遮蔽材固定具５の端部に伸縮可能に縫付け若しくは接着剤を用いて固着すれば、夏季・冬季にかかわらず緊張度を維持できる。遮蔽体１を建物に固着する場合、図３及び図４に模型的に図示するように、適宜の形状のブラケットを用いてよいが、なお、その安定度を維持するため、レール材などで補強することが好ましい。
【産業上の利用可能性】
【０００９】
本発明に係る建物外気遮蔽装置は、1棟の建物を対象とするに止まらず、例えば一定区域内の建物に実施して、建物の外観（特に色彩やデザインの連携）を整える用途にも適用できる。
【図面の簡単な説明】
【００１０】
【図１】遮蔽体１の概略を示す一部切欠き正面図
【図２】図１におけるＡ―Ａ´線における断面の一例を示す説明図
【図３】遮蔽体１を建物に固着する場合における取付手段の一例を示す模型的説明図
【図４】遮蔽体１を建物に固着する場合における取付手段の一例を示す模型的説明図
【符号の説明】
【００１１】
１    遮蔽体
２    フレーム
３    フレーム連結具
４    遮蔽材
５    遮蔽材固定具
【図１】
2009235678.tif 000003
【図２】
2009235678.tif 000004
【図３】
2009235678.tif 000005
【図４】
2009235678.tif 000006